(57)【特許請求の範囲】
【請求項１】
乳幼児を載置可能なベッド本体と、
設置面に取り付けられるものであって、前記ベッド本体の側部を回転可能に支持する取付ベースとを備え、
前記取付ベースには、当該取付ベースを前記設置面に取り付けるための固定手段を当該取付ベースに挿通させるためのもので、所定方向に沿った複数位置のいずれかの位置に前記固定手段を挿通可能とする取付孔を形成し、
前記ベッド本体の前記側部を、乳幼児を載置するために当該ベッド本体に設けられた載置部よりも狭幅状に形成することにより、当該側部の側方に開放空間部を形成し、
前記開放空間部に、前記取付ベースの前記取付孔を露出させたこと、
を特徴とする乳幼児用ベッド。
【請求項２】
所定間隔を隔てて配置された一対の前記取付孔を、前記所定方向に沿って相互にずらした位置に複数組配置したこと、
を特徴とする請求項１に記載の乳幼児用ベッド。
【請求項３】
前記取付孔を、前記所定方向に沿った長軸を有する長孔としたこと、
を特徴とする請求項１又は２に記載の乳幼児用ベッド。
【請求項４】
乳幼児用ベッドを設置面に固定するための固定構造であって、
前記設置面は、
前記乳幼児用ベッドに面する主面部と、
前記主面部を挟んで前記乳幼児用ベッドとは反対側に配置された一対の支柱とを備え、
前記乳幼児用ベッドは、
乳幼児を載置可能なベッド本体と、
前記設置面に取り付けられるものであって、前記ベッド本体の側部を回転可能に支持する取付ベースとを備え、
前記取付ベースには、当該取付ベースを前記設置面に取り付けるための固定手段を当該取付ベースに挿通させるためのもので、前記一対の支柱の各々に対応する位置に前記固定手段を挿通可能とする取付孔を形成し、
前記ベッド本体の前記側部を、乳幼児を載置するために当該ベッド本体に設けられた載置部よりも狭幅状に形成することにより、当該側部の側方に開放空間部を形成し、
前記開放空間部に、前記取付ベースの前記取付孔を露出させたこと、
を特徴とする乳幼児用ベッドの固定構造。
【発明の詳細な説明】
【技術分野】
【０００１】
本発明は、乳幼児を寝かせるための乳幼児用ベッドと、この乳幼児用ベッドを設置面に固定するための固定構造に関する。
【背景技術】
【０００２】
従来、百貨店の如き商業施設、又は公共施設等の洗面所や化粧室で乳幼児のオムツ交換を行うための乳幼児用ベッドが提案されている。この乳幼児用ベッドは、概略的には、乳幼児を載置可能なベッド本体と、このベッド本体の側部を回転可能に支持する取付ベースとを備えて構成されている。この取付ベースには取付孔が形成されており、この取付孔に固定ボルトを挿通して壁体にねじ込むことで、乳幼児用ベッドを壁体に取り付けることができる（例えば、特許文献１参照）。
【０００３】
しかしながら、壁体は必ずしも乳幼児用ベッドの取り付けを前提として構成されていないため、壁体によっては、剛性が低く、乳幼児用ベッドや乳幼児の荷重を支持できない場合がある。このような場合、壁体を補強するため、壁体の内部に剛板を配置する改修工事を行った上で、この壁体の内部の剛板に取付ベースを固定していた。
【０００４】
【特許文献１】特開２００３−５２４９４号公報
【発明の開示】
【発明が解決しようとする課題】
【０００５】
しかしながら、壁体の内部に剛板を配置する場合、新規物件の場合には比較的施工が容易であるが、既存物件の場合には改修工事が必要になり、費用と手間を要するという問題があった。
【０００６】
ここで、壁体によっては、その内部に高剛性の支柱が設けられている場合がある。従って、この支柱に乳幼児用ベッドを固定することができれば、剛板の配置が不要になる。しかしながら従来の固定構造では、乳幼児用ベッドを支柱に固定することが困難であった。すなわち、洗面所や化粧室には、壁体や柱の如き構造体や、洗面台等の各種の器具が設けられているため、これら構造体や器具が障害になり、壁体の内部の支柱に対応した位置に乳幼児用ベッドを配置できない場合が多かった。
【０００７】
本発明は、上記に鑑みてなされたものであって、壁体の内部に設けられた支柱に対して乳幼児用ベッドを容易に固定することができる、乳幼児用ベッド及び乳幼児用ベッドの固定構造を提供することを目的とする。
【課題を解決するための手段】
【０００８】
上述した課題を解決し、目的を達成するために、請求項１に記載の乳幼児用ベッドは、乳幼児を載置可能なベッド本体と、設置面に取り付けられるものであって、前記ベッド本体の側部を回転可能に支持する取付ベースとを備え、前記取付ベースには、当該取付ベースを前記設置面に取り付けるための固定手段を当該取付ベースに挿通させるためのもので、所定方向に沿った複数位置のいずれかの位置に前記固定手段を挿通可能とする取付孔を形成し、前記ベッド本体の前記側部を、乳幼児を載置するために当該ベッド本体に設けられた載置部よりも狭幅状に形成することにより、当該側部の側方に開放空間部を形成し、前記開放空間部に、前記取付ベースの前記取付孔を露出させたことを特徴とする。
【０００９】
請求項２に記載の乳幼児用ベッドは、請求項１に記載の乳幼児用ベッドにおいて、所定間隔を隔てて配置された一対の前記取付孔を、前記所定方向に沿って相互にずらした位置に複数組配置したことを特徴とする。
【００１０】
請求項３に記載の乳幼児用ベッドは、請求項１又は２に記載の乳幼児用ベッドにおいて、前記取付孔を、前記所定方向に沿った長軸を有する長孔としたことを特徴とする。
【００１２】
請求項４に記載の乳幼児用ベッドの固定構造は、乳幼児用ベッドを設置面に固定するための固定構造であって、前記設置面は、前記乳幼児用ベッドに面する主面部と、前記主面部を挟んで前記乳幼児用ベッドとは反対側に配置された一対の支柱とを備え、前記乳幼児用ベッドは、乳幼児を載置可能なベッド本体と、前記設置面に取り付けられるものであって、前記ベッド本体の側部を回転可能に支持する取付ベースとを備え、前記取付ベースには、当該取付ベースを前記設置面に取り付けるための固定手段を当該取付ベースに挿通させるためのもので、前記一対の支柱の各々に対応する位置に前記固定手段を挿通可能とする取付孔を形成し、前記ベッド本体の前記側部を、乳幼児を載置するために当該ベッド本体に設けられた載置部よりも狭幅状に形成することにより、当該側部の側方に開放空間部を形成し、前記開放空間部に、前記取付ベースの前記取付孔を露出させたことを特徴とする。
【発明の効果】
【００１３】
請求項１、４に記載の本発明によれば、所定方向に沿った複数位置のいずれかの位置に固定手段を挿通可能とする取付孔を形成したので、これら複数の位置のいずれかの位置の取付孔を選択して取付ベースの固定を行うことができるので、障害物の有無やその位置によって乳幼児用ベッドを水平方向にずらして壁体に取り付けることができ、従来であれば支柱に取り付けることができなかった状況下においても、乳幼児用ベッドを支柱に取り付けることが可能になる。従って、乳幼児用ベッドを容易に固定することができ、壁体の内部に剛板を配置する工事が不要になるので、乳幼児用ベッドの設置コストを低減することができる。
また、開放空間部を介して固定ボルトを挿通させることができるので、下側部が障害になることなく、乳幼児用ベッドの取付が極めて容易になる。
【００１４】
請求項２に記載の本発明によれば、所定間隔を隔てて配置された一対の取付孔を複数組配置したので、一対の取付孔の所定間隔を支柱の配置間隔に合わせておくことで、いずれかの組の取付孔を支柱に容易に位置合わせすることができる。
【００１５】
請求項３に記載の本発明によれば、複数の取付孔の各々を長孔として形成したので、この長孔の範囲内において乳幼児用ベッドの取り付け位置調整を行うことができ、乳幼児用ベッドの取付位置を一層広い範囲で調整することが可能になる。
【発明を実施するための最良の形態】
【００１７】
以下に添付図面を参照して、この発明に係る乳幼児用ベッド及び乳幼児用ベッドの固定構造の各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００１８】
〔Ｉ〕各実施の形態に共通の基本的概念
まず、各実施の形態に共通の基本的概念について説明する。各実施の形態に係る乳幼児用ベッドは、乳幼児を寝かせるためのものであり、特に、壁体の内部に設けられた支柱に対して乳幼児用ベッドを容易に固定することを目的とする。
【００１９】
各実施の形態に係る乳幼児用ベッドの特徴の一つは、概略的に、ベッド本体と取付ベースとを備えることを前提としており、この取付ベースには、当該取付ベースを設置面に取り付けるための固定手段を当該取付ベースに挿通させるためのもので、所定方向に沿った複数位置のいずれかの位置に固定手段を挿通可能とする取付孔を形成している点にある。例えば、一対の支柱の相互間隔に対応した間隔を有する一対の取付孔を取付ベースに形成する。特に、このような取付孔を相互に位置をずらして複数組形成する。この構造によれば、従来であれば固定構造や器具が障害になって、壁体の内部に設けた支柱に対応する位置に乳幼児用ベッドを配置できない場合であっても、これら器具等の障害にならない位置に乳幼児用ベッドをずらして配置した上で、この乳幼児用ベッドを壁体に固定することができる。
【００２０】
なお、乳幼児用ベッドの取付対象になる設置面は、壁体に限らず、例えば壁体に設置された固定物に対して取り付けてもよい。以下の各実施の形態では、乳幼児用ベッドを壁体に取り付ける場合について説明する。また以下の各実施の形態では、水平方向の長さを「幅」、鉛直方向の長さを「高さ」と称する。
【００２１】
〔II〕各実施の形態の具体的内容
次に、本発明に係る各実施の形態の具体的内容について説明する。
【００２２】
〔実施の形態１〕
まず実施の形態１について説明する。この形態は、一対の取付孔を水平方向に相互に位置をずらして複数組形成した形態である。
【００２３】
図１及び図２は、実施の形態１に係る乳幼児用ベッドを壁体と共に示す全体斜視図であり、図１には乳幼児用ベッドの閉状態、図２には乳幼児用ベッドの開状態を示す。図３のうち、（ａ）は乳幼児用ベッドの閉状態における正面図、（ｂ）は乳幼児用ベッドの開状態（ただし２点鎖線は閉状態）における側面図、（ｃ）は乳幼児用ベッドの開状態における平面図である。図１及び図２に示すように、乳幼児用ベッド１０は、設置対象である壁体１に対して固定されている。
【００２４】
（壁体の構成）
最初に、乳幼児用ベッド１０の取付対象になる壁体１の構成について説明する。この壁体１は、例えば洗面所の一面を構成するもので、合板やコンクリートにて形成された壁面部１ａと、この壁面部１ａの内部において鉛直方向に沿って配置された左右一対の金属製の支柱１ｂとから構成されている。各支柱１ｂは鉛直方向に沿って配置されており、例えばこの支柱１ｂに対して壁面部１ａを固定することで、壁体１の剛性が高められている。これら一対の支柱１ｂの相互間隔（以下「支柱間隔Ｗ」と称する。この支柱間隔Ｗは特許請求の範囲における所定間隔に対応する）は、例えば、建築に使用される法令又は慣用的な長さの単位に準じて決定されており、例えば、４５０ｃｍの整数倍、あるいは、尺貫法による１尺（約３０．３ｃｍ）の整数倍となっている。
【００２５】
（乳幼児用ベッドの構成）
次に、乳幼児用ベッド１０の構成について説明する。図４から図７は乳幼児用ベッド１０の一部を示す斜視図であり、図４はベッド本体を取り外した状態、図５は図４からさらにセンターカバーを取り外した状態、図６は図５からさらに軸受カバーを取り外した状態、図７は図６からさらに脚カバーを取り外した状態を示す。図８は図４のＡ−Ａ矢視断面図である。図１から図８に示すように、乳幼児用ベッド１０は、概略的に、ベッド本体２０、取付ベース３０、及び固定脚４０を備えて構成されている。
【００２６】
ベッド本体２０は、乳幼児を載置するためのもので、載置部２１、上側部２２、及び下側部２３を樹脂から相互一体に形成して構成されている。
【００２７】
載置部２１は、乳幼児の体形に対応する外形を有するもので、図２の開状態において上側となる方の平坦面に、乳幼児を寝かせてオムツ交換等を行うことができる。図３（ｃ）に示すように、この側面における上側部２２との境界近傍位置には、固定ベルト２４の基部が固定されている。この固定ベルト２４は、側面に寝かせた乳幼児を固定するもので、その先端を後述する着脱部に着脱自在に固定することができる。
【００２８】
上側部２２は、図１に示すように、閉状態において載置部２１の上方に位置する側部であって、載置部２１から壁体１に向けて伸びる湾曲状に形成されており、載置部２１と壁体１との隙間を上方から覆うことで、載置部２１と壁体１との一体感を形成する。
【００２９】
下側部２３は、図１の閉状態において載置部２１の下方に位置する側部であり、特許請求の範囲における側部に対応する。この下側部２３には、当該下側部２３を貫通し、当該下側部２３の左右の両側方に延出する回転軸２３ａが設けられている（ただし、回転軸２３ａは後述する図８にのみ示し、他の図面においては図示簡略化のために省略する）。この回転軸２３ａは、下側部２３の左右の両側方の各々において、取付ベース３０の後述する軸受３３に回転可能に支持されている。このような支持構造によって、ベッド本体２０を取付ベース３０に対して回転軸２３ａを中心に回転可能とし、未使用時には図１に示すように、ベッド本体２０を壁体１に沿った位置に閉じることで、スペースの使用効率を向上させることができる。この下側部２３には、図３（ｃ）に示すように、開状態において上側となる方の側面に、固定ベルト２４の先端を固定するための図示しない着脱部が設けられている。ここで、下側部２３は載置部２１よりも狭幅に形成されており、このことによって、下側部２３の左右の両側方には、乳幼児用ベッド１０の正面に向けて開放された開放空間部２５が形成されている。この開放空間部２５の意義については後述する。
【００３０】
次に、取付ベース３０について説明する。この取付ベース３０は、図５から図８に示すように、ベッド本体２０の下側部２３を壁体１に対して回転可能に支持するものであり、長方形状の板状体として形成されている。図９は取付ベースの正面図であり、（ａ）〜（ｃ）の相互間で異なる位置に取り付けられた状態を示す。この取付ベース３０は、載置部２１とほぼ同じ幅に形成されているため、この取付ベース３０の左右の略中央位置にベッド本体２０の下側部２３を当接した状態においては、この取付ベース３０の左右の側部３１、３２が下側部２３から左右に突出し、この突出した側部３１、３２が上述した開放空間部２５を介して正面に露出される。このように正面に露出された側部３１、３２には、取付孔３１ａ〜３１ｃ、３２ａ〜３２ｃが穿設されると共に、軸受３３が設けられている。これら取付孔３１ａ〜３１ｃ、３２ａ〜３２ｃの詳細については後述する。
【００３１】
軸受３３は、下側部２３の回転軸２３ａを回転可能に支持するためのもので、下側部２３の各側方にそれぞれ一対設けられている。この軸受３３には、図７に示すように、回転軸２３ａを挿通させるための挿通孔３３ａが設けられており、この挿通孔３３ａに回転軸２３ａの端部を挿通させて保持することができる。なお、この軸受３３には、回転軸２３ａに対して所定方向の付勢力を与えるための付勢バネを設けることができる。
【００３２】
このように構成された取付ベース３０は、センターカバー３４及び軸受カバー３５にて覆われている。センターカバー３４は、図４に示すように、取付ベース３０のうちの軸受３３及び下部を除いた各部を外部から覆うことによって、安全性や意匠性を向上させると共に、軸受カバー３５を固定するための取付ネジ３５ｂを外部から隠すことによっていたずらを防止する。このセンターカバー３４は、取付ベース３０より若干広幅に形成されると共に、この取付ベース３０の半分程度の高さに形成された正面長方形状の樹脂体である。このセンターカバー３４の上縁近傍には、取付ベース３０に形成された複数の取付孔３０ａに対応する位置に、複数の取付孔３４ａが形成されている。そして、図２の開状態において、センターカバー３４を取付ベース３０に載置し、当該センターカバー３４の取付孔３４ａに挿通させた取付ネジ３４ｂを取付ベース３０の取付孔３０ａにねじ込むことで、センターカバー３４を取付ベース３０に固定することができる。この取付ネジ３４ｂは、図１のようにベッド本体２０を閉状態とすることで外部に対して非露出状となり、いたずらの対象になることが防止される。
【００３３】
また、軸受カバー３５は、軸受３３を外部から覆うことによって安全性や意匠性を向上させると共に、後述する脚カバー４５を固定するための取付ネジを外部から隠すことによっていたずらを防止する。この軸受カバー３５は、図４に示すように、軸受３３を囲繞可能な大きさの中空半円筒体として形成された樹脂体である。この軸受カバー３５には、軸受３３の上辺に形成された複数の取付孔３３ｂに対応する位置に、複数の取付孔３５ａが形成されている。そして、図２の開状態において、軸受カバー３５を軸受３３に載置し、当該軸受カバー３５の取付孔３５ａに挿通させた取付ネジ３５ｂを軸受３３の取付孔３３ｂにねじ込むことで、軸受カバー３５を軸受３３に固定することができる。この取付ネジ３５ｂは、図４のようにセンターカバー３４を取付ベース３０に固定することで外部に対して非露出状となり、いたずらの対象になることが防止される。
【００３４】
次に、図７、８に示す固定脚４０について説明する。固定脚４０は、乳幼児用ベッドや乳幼児の荷重を床面に伝達することにより、壁体１への荷重を軽減する補助支持構造体であり、一対の脚柱４１、天板４２、複数の中板４３、及び底板４４を備えて構成されている。一対の脚柱４１は、乳幼児用ベッドや乳幼児の荷重を支持するために十分な剛性を有するもので、下側部２３の幅に対応する間隔を隔てて左右に配置されたものであって、鉛直方向に沿って配置されている。天板４２は、一対の脚柱４１の上端を相互に連結する水平板であり、この天板４２に対して取付ベース３０を固定することで、乳幼児用ベッドや乳幼児の荷重を固定脚４０に伝達することができる。中板４３は、一対の脚柱４１の上端や下端以外の部分を相互に連結する水平板であり、相互に均等な間隔を隔てて複数設けられている。底板４４は、一対の脚柱４１の下端を相互に連結する水平板であり、この底板４４を床面にアンカー４６にて固定することで、固定脚４０を床面に取り付けることができる。
【００３５】
この固定脚４０には、図６、８に示すように、脚カバー４５が着脱自在に取り付けられている。この脚カバー４５は、固定脚４０を外部から覆うことによって安全性や意匠性を向上させると共に、固定脚４０を固定するためのアンカー４６を外部から隠すことによっていたずらを防止する。この脚カバー４５は、固定脚４０を囲繞可能な大きさの中空の箱状体である。図８に示すように、この脚カバー４５の固定脚４０に面する側面には複数の係止爪４５ａが設けられており、この係止爪４５ａを中板４３に係脱自在に係止させることで、脚カバー４５を固定脚４０に取り付けることができる。このように脚カバー４５を取り付けた状態では、アンカー４６が外部に対して非露出状となり、いたずらの対象になることが防止される。なお、取付ベース３０を壁体１に取り付けることによって、乳幼児用ベッド１０を十分な剛性で支持できる場合には、固定脚４０を省略してもよい。
【００３６】
（壁体に対する取付構造の詳細）
次に、乳幼児用ベッド１０を壁体１に取り付けるための構造の詳細について説明する。図９に示すように、取付ベース３０には複数の取付孔３１ａ〜３１ｃ、３２ａ〜３２ｃが形成されている。ここで、下側部２３に対する一側方（ここでは左側）の側部３１に形成された取付孔３１ａ〜３１ｃと、下側部２３に対する他側方（ここでは右側）の側部３２に形成された取付孔３２ａ〜３２ｃとの相互間隔は、上述した支柱間隔Ｗとなるように決定されている。具体的には、取付孔３１ａと取付孔３２ａの相互間隔、取付孔３１ｂと取付孔３２ｂの相互間隔、取付孔３１ｃと取付孔３２ｃの相互間隔が、それぞれ支柱間隔Ｗとなる。従って、取付ベース３０を壁面部１ａに当接させ、固定ボルトを取付孔３１ａ〜３１ｃ、３２ａ〜３２ｃを介して壁面部１ａ及び一対の支柱１ｂに順次ねじ込むことで、取付ベース３０を支柱１ｂに固定することができる。
【００３７】
特に、これら取付孔３１ａ〜３１ｃ、３２ａ〜３２ｃは、水平方向（特許請求の範囲における所定方向に対応する）に沿って相互にずらした位置に配置されている。すなわち、取付孔３１ａ〜３１ｃは相互に水平方向に異なる位置に配置されており、取付孔３２ａ〜３２ｃは相互に水平方向に異なる位置に配置されている。従って、これら複数組のうち任意の一組の取付孔３１ａ〜３１ｃ、３２ａ〜３２ｃを選択して取付ベース３０の固定を行うことができる。このため、図９（ｂ）に示すように、固定ボルトを取付孔３１ｂ、３２ｂを介して支柱１ｂにねじ込むことの他、支柱１ｂに向かって右側に障害物がある場合には図９（ａ）に示すように取付孔３１ｃ、３２ｃが支柱１ｂの正面になる位置になるように、あるいは、支柱１ｂに向かって左側に障害物がある場合には図９（ｃ）に示すように取付孔３１ａ、３２ａが支柱１ｂの正面になる位置になるように、取付ベース３０を水平方向にずらして壁体１に取り付けることができる。
【００３８】
また、これら複数の取付孔３１ａ〜３１ｃ、３２ａ〜３２ｃの各々は、水平方向に沿った長軸を有する長孔として形成されている。従って、上述のように乳幼児用ベッド１０を水平方向にずらすことによる取り付け位置調整に加えて、長孔の横幅の範囲内において取り付け位置調整を行うことができ、乳幼児用ベッド１０の取付位置を一層広い範囲で調整することが可能になる。
【００３９】
さらに、図６、９に示すように、これら複数の取付孔３１ａ〜３１ｃ、３２ａ〜３２ｃのいずれに対しても、上述のように下側部２３の左右の両側方に形成された開放空間部２５を介して、固定ボルトを挿通させることができる。すなわち、下側部２３の幅は支柱間隔Ｗよりも狭幅となるように決定されており、支柱１ｂの正面に対応する開放空間部２５は、下側部２３が存在せず、乳幼児用ベッド１０の正面側から自由にアクセスできる開放状の空間部となっている。そして、複数の取付孔３１ａ〜３１ｃ、３２ａ〜３２ｃの全ては、この開放空間部２５に位置するように形成されていることから、下側部２３が障害になることなく、乳幼児用ベッド１０の正面側から取付孔３１ａ〜３１ｃ、３２ａ〜３２ｃに固定ボルトを挿通させることができる。従って、乳幼児用ベッド１０の取付が極めて容易になる。
【００４０】
（実施の形態１の効果）
このように実施の形態１によれば、複数組の取付孔３１ａ〜３１ｃ、３２ａ〜３２ｃのうち任意の一組の取付孔３１ａ〜３１ｃ、３２ａ〜３２ｃを選択して取付ベース３０の固定を行うことができるので、障害物の有無やその位置によって乳幼児用ベッド１０を水平方向にずらして壁体１に取り付けることができ、従来であれば支柱１ｂに取り付けることができなかった状況下においても、乳幼児用ベッド１０を支柱１ｂに取り付けることが可能になる。
【００４１】
また、複数の取付孔３１ａ〜３１ｃ、３２ａ〜３２ｃの各々を長孔として形成したので、この長孔の横幅の範囲内において乳幼児用ベッド１０の取り付け位置調整を行うことができ、乳幼児用ベッド１０の取付位置を一層広い範囲で調整することが可能になる。
【００４２】
さらに、開放空間部２５を介して固定ボルトを挿通させることができるので、下側部２３が障害になることなく、乳幼児用ベッド１０の取付が極めて容易になる。
【００４３】
〔実施の形態２〕
次に、実施の形態２について説明する。この形態は、取付ベースの取付孔の変形例に係る形態である。なお、実施の形態２の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００４４】
図１０は実施の形態２に係る取付ベースの正面図であり、（ａ）〜（ｃ）の相互間で異なる位置に取り付けられた状態を示す。この取付ベース５０は、特記する構成を除いては実施の形態１の取付ベース３０と同様であるが、その左右の側部５１、５２の各々には、取付孔５１ａ、５２ａが形成されている。この取付孔５１ａ、５２ａは、それぞれ水平方向に沿った横長状に形成されており、実施の形態１の複数の取付孔３１ａ〜３１ｃ、３２ａ〜３２ｃを相互に連続させた幅及び位置にて形成されている。
【００４５】
この構造では、取付孔５１ａ、５２ａの幅の範囲内における任意の位置を選択し、この位置に図示しない固定ボルトを挿通して支柱１ｂにねじ込むことで、取付ベース５０の固定を行うことができる。このため、図１０（ｂ）に示すように、取付孔５１ａ、５２ａの左右の略中央位置を固定位置とすることの他、支柱１ｂに向かって右側に障害物がある場合には図１０（ａ）に示すように取付孔５１ａ、５２ａの正面右寄りの位置を固定位置とするように、あるいは、支柱１ｂに向かって左側に障害物がある場合には図１０（ｃ）に示すように取付孔５１ａ、５２ａの正面左寄りの位置を固定位置とするように、取付ベース５０を水平方向にずらして壁体１に取り付けることができる。特に、取付孔５１ａ、５２ａを横長状に形成することで、この取付孔５１ａ、５２ａの横幅の範囲内における任意の位置に固定ボルトを挿通させることができるので、実施の形態１の構造に比べて、位置調整の自由度を一層高めることができる。
【００４６】
（実施の形態２の効果）
このように実施の形態２によれば、横長の取付孔５１ａ、５２ａのうち任意の位置を選択して取付ベース５０の固定を行うことができるので、障害物の有無やその位置によって乳幼児用ベッド１０を水平方向にずらして壁体１に取り付けることができ、従来であれば支柱１ｂに取り付けることができなかった状況下においても、乳幼児用ベッド１０を支柱１ｂに取り付けることが可能になる。
【００４７】
特に、取付孔５１ａ、５２ａの横幅の範囲内における任意の位置に固定ボルトを挿通させることができるので、位置調整の自由度を一層高めることができる。
【００４８】
〔実施の形態３〕
次に、実施の形態３について説明する。この形態は、取付ベースの取付孔を鉛直方向に沿って複数配置した形態である。なお、実施の形態３の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００４９】
（壁体の構成）
最初に、乳幼児用ベッドの取付対象になる壁体の構成について説明する。図１１は、実施の形態３に係る閉状態の乳幼児用ベッドを壁体と共に示す全体斜視図である。壁体２は、コンクリートにて形成された壁面部２ａと、この壁面部２ａの内部において水平方向に沿って配置された複数の金属製の支柱２ｂとから構成されている。ここでは、これら一対の支柱２ｂの相互間隔を支柱間隔Ｗと称する。
【００５０】
（乳幼児用ベッドの構成）
次に、乳幼児用ベッド１０の構成について説明する。図１２は実施の形態３に係る取付ベース６０の正面図であり、（ａ）〜（ｃ）の相互間で異なる位置に取り付けられた状態を示す図である。この取付ベース６０は、特記する構成を除いては実施の形態１の取付ベース３０と同様であるが、その左右の側部６１、６２の各々には、複数の取付孔６１ａ〜６１ｃ、６２ａ〜６２ｃが形成されている。ここで、取付孔６１ａと取付孔６２ａの相互間隔、取付孔６１ｂと取付孔６２ｂの相互間隔、取付孔６１ｃと取付孔６２ｃの相互間隔が、それぞれ支柱間隔Ｗとなる。
【００５１】
特に実施の形態３では、上述のように支柱間隔Ｗに対応する間隔を隔てて配置された取付孔６１ａ〜６１ｃ、６２ａ〜６２ｃを、鉛直方向（特許請求の範囲における所定方向に対応する）に沿って相互にずらした位置に複数組配置している。このため、図１２（ｂ）に示すように、図示しない固定ボルトを取付孔６１ｂ、６２ｂを介して支柱２ｂにねじ込むことの他、支柱２ｂに向かって下方に障害物がある場合には図１２（ａ）に示すように下方の取付孔６１ｃ、６２ｃが支柱２ｂの正面になる位置になるように、あるいは、支柱２ｂに向かって上方に障害物がある場合には図１２（ｃ）に示すように上方の取付孔６１ａ、６２ａが支柱２ｂの正面になる位置になるように、取付ベース６０を鉛直方向にずらして壁体２に取り付けることができる。
【００５２】
また、これら複数の取付孔６１ａ〜６１ｃ、６２ａ〜６２ｃの各々は、鉛直方向に沿った長軸を有する長孔として形成されている。従って、上述のように乳幼児用ベッド１０を鉛直方向にずらすことによる取り付け位置調整に加えて、長孔の縦幅の範囲内において取り付け位置調整を行うことができ、乳幼児用ベッド１０の取付位置を一層広い範囲で調整することが可能になる。
【００５３】
（実施の形態３の効果）
このように実施の形態３によれば、複数組の取付孔６１ａ〜６１ｃ、６２ａ〜６２ｃのうち任意の一組の取付孔６１ａ〜６１ｃ、６２ａ〜６２ｃを選択して取付ベース６０の固定を行うことができるので、障害物の有無やその位置によって乳幼児用ベッド１０を鉛直方向にずらして壁体２に取り付けることができ、従来であれば支柱２ｂに取り付けることができなかった状況下においても、乳幼児用ベッド１０を支柱２ｂに取り付けることが可能になる。
【００５４】
また、複数の取付孔６１ａ〜６１ｃ、６２ａ〜６２ｃの各々を長孔として形成したので、この長孔の縦幅の範囲内において乳幼児用ベッド１０の取り付け位置調整を行うことができ、乳幼児用ベッド１０の取付位置を一層広い範囲で調整することが可能になる。
【００５５】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００５６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５７】
（各実施の形態の相互の関係について）
上記説明した各実施の形態は、任意の組み合わせで相互に組み合わせることができる。例えば、実施の形態１の取付ベース３０に、当該実施の形態１の取付孔３１ａ〜３１ｃ、３２ａ〜３２ｃに加えて、実施の形態３の取付孔６１ａ〜６１ｃ、６２ａ〜６２ｃを設けることができる。具体的には、これら両方の取付孔３１ａ〜３１ｃ、３２ａ〜３２ｃ、６１ａ〜６１ｃ、６２ａ〜６２ｃが相互に干渉しないように、実施の形態１の取付孔３１ａ〜３１ｃ、３２ａ〜３２ｃの上方又は下方に、実施の形態３の取付孔６１ａ〜６１ｃ、６２ａ〜６２ｃを設けることができる。この場合、壁体の支柱１ｂが鉛直方向に沿って配置されている場合には、実施の形態１の取付孔３１ａ〜３１ｃ、３２ａ〜３２ｃを用いて固定を行い、壁体の支柱１ｂが水平方向に沿って配置されている場合には、実施の形態３の取付孔６１ａ〜６１ｃ、６２ａ〜６２ｃを用いて固定を行うことで、同一の取付プレートを用いて様々な壁体に乳幼児用ベッド１０を取り付けることができる。
【産業上の利用可能性】
【００５８】
この発明に係る乳幼児用ベッドは、テーブルに近接配置されたシート上に設置される乳幼児用ベッドに適用でき、安定した状態で容易に設置することができ、誤使用を防ぐことができる乳幼児用ベッドに有用である。
【図面の簡単な説明】
【００５９】
【図１】本発明の実施の形態１に係る乳幼児用ベッドを壁体と共に示す全体斜視図であり、乳幼児用ベッドの閉状態を示す図である。
【図２】図１の乳幼児用ベッドの開状態を示す図である。
【図３】（ａ）は乳幼児用ベッドの閉状態における正面図、（ｂ）は乳幼児用ベッドの開状態（ただし２点鎖線は閉状態）における側面図、（ｃ）は乳幼児用ベッドの開状態における平面図である。
【図４】乳幼児用ベッドの一部を示す斜視図であり、ベッド本体を取り外した状態の斜視図である。
【図５】図４からさらにセンターカバーを取り外した状態の斜視図である。
【図６】図５からさらに軸受カバーを取り外した状態の斜視図である。
【図７】図６からさらに脚カバーを取り外した状態の斜視図である。
【図８】図４のＡ−Ａ矢視断面図である。
【図９】取付ベースの正面図であり、（ａ）〜（ｃ）の相互間で異なる位置に取り付けられた状態を示す図である。
【図１０】実施の形態２に係る取付ベースの正面図であり、（ａ）〜（ｃ）の相互間で異なる位置に取り付けられた状態を示す図である。
【図１１】実施の形態３に係る閉状態の乳幼児用ベッドを壁体と共に示す全体斜視図である。
【図１２】実施の形態３に係る取付ベースの正面図であり、（ａ）〜（ｃ）の相互間で異なる位置に取り付けられた状態を示す図である。
【符号の説明】
【００６０】
１、２  壁体
１ａ、２ａ  壁面部
１ｂ、２ｂ  支柱
１０  乳幼児用ベッド
２０  ベッド本体
２１  載置部
２２  上側部
２３  下側部
２３ａ  回転軸
２４  固定ベルト
２５  開放空間部
３０、５０、６０  取付ベース
３０ａ、３３ｂ、３４ａ、３５ａ  取付孔
３１、３２、５１、５２、６１、６２  側部
３１ａ〜３１ｃ、３２ａ〜３２ｃ、５１ａ、５２ａ、６１ａ〜６１ｃ、６２ａ〜６２ｃ  取付孔
３３  軸受
３３ａ  挿通孔
３４  センターカバー
３４ｂ、３５ｂ  取付ネジ
３５  軸受カバー
４０  固定脚
４１  脚柱
４２  天板
４３  中板
４４  底板
４５  脚カバー
４５ａ  係止爪
４６  アンカー
Ｗ  支柱間隔
【図１】
0005219495.tif 000002
【図２】
0005219495.tif 000003
【図３】
0005219495.tif 000004
【図４】
0005219495.tif 000005
【図５】
0005219495.tif 000006
【図６】
0005219495.tif 000007
【図７】
0005219495.tif 000008
【図８】
0005219495.tif 000009
【図９】
0005219495.tif 000010
【図１０】
0005219495.tif 000011
【図１１】
0005219495.tif 000012
【図１２】
0005219495.tif 000013